(57)【要約】【課題】      治具本体の使用時に素早くキャップを外して対応出来る釣り具を提供することである。【解決手段】  筒状のキャップ１に治具２が着脱自在にかつ嵌合・離脱時にクリック音が出るように構成され、筒状のキャップ１は有底筒状で筒部１ａの側部の上縁から中程までスリ割１ｂが形成され、上縁はスリ割１ｂを挟んで左右が内外に微小移動可能に形成されて上縁には内周方向に向けて屈曲した係止部１ｃが形成されている。  治具２は基部２ａに周溝２ｂが形成されると共に基部２ａに先端に向けて先細り状になる傾斜部２ｃが形成され、傾斜部２ｃの先に治具本体２ｄの錐が設けられて周溝２ｂより下側の基部２ａ外周にはロ−レット加工で凹凸ａが設けられ、傾斜部２ｃの外周には螺旋状の周方向に連なる凹凸ｂが設けられている。【選択図】        図１
2009106242.tif 000002
【特許請求の範囲】
【請求項１】
筒状のキャップにスリ割を設けると共に端部を内周方向に屈曲させて係止部を形成し、この筒状のキャップの中に挿通して収容する治具の基部に前記係止部が係止される周溝を設けたことを特徴とする釣り具。
【請求項２】
前記治具の基部に先端に向けて先細り状になる傾斜部を設け、該傾斜部の先に治具本体を設けたことを特徴とする請求項１記載の釣り具。
【請求項３】
前記治具の基部に筒状のキャップの係止部と節度をもって接触する凹凸を設けたことを特徴とする請求項１又は２記載の釣り具。
【発明の詳細な説明】
【技術分野】
【０００１】
本発明は、釣り糸の結び目を緩めたり、針外し等の釣り用治具を設けた釣り具に関する。
【背景技術】
【０００２】
従来特許文献１に魚釣り用５つ道具が提案され、この魚釣り用５つ道具の構造は中央ホルダ−の一側に中空外装ホルダ−が螺着され、他側に別の中空の針外し具が螺着されている。
更に、中央ホルダ−の一側の中空外装ホルダ−の中には先端部にギヤフ兼用の針外し具を取り付けた中空ホルダ−が中央ホルダ−に螺着され、ギヤフ兼用の針外し具を取り付けた中空ホルダ−の中に錐が収納されている。
上記中空外装ホルダ−や別の中空の針外し具やギヤフ兼用の針外し具を取り付けた中空ホルダ−を中央ホルダ−から取り外す時には螺着を解除しなければ取り外すことが出来ない。
従ってギヤフ兼用の針外し具や別の中空の針外し具の中のナイフや錐を使用する時には迅速に使用状態にすることが出来ない欠点があった。
【特許文献１】実公昭５６−３７５８２号公報
【発明の開示】
【発明が解決しようとする課題】
【０００３】
解決しようとする問題点は、各パ−ツが螺着によって中央ホルダ−に取り付けられているので、簡単に使用状態に出来ないことである。
【０００４】
本発明の目的は前記欠点に鑑み、治具本体の使用時に素早くキャップを外して対応出来る釣り具を提供することである。
【課題を解決するための手段】
【０００５】
本発明の請求項１は、筒状のキャップにスリ割を設けると共に端部を内周方向に屈曲させて係止部を形成し、この筒状のキャップの中に挿通して収容する治具の基部に係止部が係止される周溝を設けたことを要旨とするものである。
本発明の請求項２は、前記治具の基部に先端に向けて先細り状になる傾斜部を設け、該傾斜部の先に治具本体を設けたことを要旨とするものである。
本発明の請求項３は、前記治具の基部に筒状のキャップの係止部と節度をもって接触する凹凸を設けたことを要旨とするものである。
【発明の効果】
【０００６】
本発明により、治具本体の使用時にキャップから治具を引いて離脱させることで素早くキャップを外すことが出来ると共に、確実にキャップを保持できる。
また、キャップを外す時にスリ割の端部に設けた係止部と凹凸の接触で音が発生し、不用意にキャップと治具が離脱することがないので、キャップと治具の一方を紛失することがない。
【発明を実施するための最良の形態】
【０００７】
釣り具は、筒状のキャップ１に治具２が着脱自在にかつ嵌合・離脱時にクリック音が出るように構成されている。
筒状のキャップ１は有底筒状で筒部１ａの側部の上縁から中程までスリ割１ｂが形成され、上縁はスリ割１ｂを挟んで左右が内外に微小移動可能に形成されている。
上縁には内周方向に向けて屈曲した係止部１ｃが形成されている。
治具２は基部２ａに周溝２ｂが形成されると共に基部２ａに先端に向けて先細り状になる傾斜部２ｃが形成されている。
傾斜部２ｃの先に治具本体２ｄの錐が設けられている。
周溝２ｂより下側の基部２ａ外周にはロ−レット加工で周方向に交差する溝が形成されて独立した多数の凸が形成されることで凹凸ａが設けられている。
傾斜部２ｃの外周には螺旋状に形成し、周方向に連なるように形成した凹凸ｂが設けられている。
周溝２ｂより上側の基部２ａには横孔２ｅが形成されて環状リング３が挿通されている。
【実施例１】
【０００８】
以下、図示の実施例によって本発明を説明すると、図１は第１実施例で、図１（ａ）は筒状のキャップから治具を幾分外した断面側面図で（ｂ）は筒状のキャップに治具を嵌めた断面側面図である。
【０００９】
釣り具は、筒状のキャップ１に治具２が着脱自在にかつ嵌合・離脱時にクリック音が出るように構成されている。
筒状のキャップ１は有底筒状で筒部１ａの側部の上縁から中程までスリ割１ｂが形成され、上縁はスリ割１ｂを挟んで左右が内外に微小移動可能に形成されている。
上縁には内周方向に向けて屈曲した係止部１ｃが形成されている。
治具２は基部２ａに周溝２ｂが形成されると共に基部２ａに先端に向けて先細り状になる傾斜部２ｃが形成されている。
傾斜部２ｃの先に治具本体２ｄの錐が設けられている。
周溝２ｂより下側の基部２ａ外周にはロ−レット加工で周方向に交差する溝が形成されて独立した多数の凸が形成されることで凹凸ａが設けられている。
傾斜部２ｃの外周には螺旋状に形成し、周方向に連なるように形成した凹凸ｂが設けられている。
周溝２ｂより上側の基部２ａには横孔２ｅが形成されて環状リング３が挿通されている。
【００１０】
治具本体２ｄが筒状のキャップ１の中に収納されている時には、キャップ１の係止部１ｃが治具２の周溝２ｂに係止されている。
治具本体２ｄが使用される時は、一方の手で治具２の基部２ａまたは環状リング３を掴んで他方の手でキャップ１を掴んで引き下げると、係止部１ｃが凹凸ａと凹凸ｂと係合しながらクリック音を発生させて引き下げられる。
【００１１】
前記のように釣り具が構成されると、治具本体２ｄの使用時にキャップ１から治具２を引いて離脱させることで素早くキャップ１を外すことが出来ると共に、確実にキャップを保持できる。
また、キャップを外す時にスリ割の端部に設けた係止部１ｃと凹凸ａ、ｂの接触で音が発生し、不用意にキャップ１と治具２が離脱することがないので、キャップ１と治具２の一方を紛失することがない。
【実施例２】
【００１２】
図２は第２実施例で、図２は筒状のキャップに治具を嵌めた断面側面図である。
【００１３】
第２実施例の釣り具は、筒状のキャップ１の中に収容する治具２の傾斜部２ｃの先に針外しからなる治具本体２ｆが設けられている。
他の構成は前記第１実施例と略同一である。
【産業上の利用可能性】
【００１４】
前記説明の構成は、釣り具の全般に利用できる。
【図面の簡単な説明】
【００１５】
【図１】第１実施例で、（ａ）は筒状のキャップから治具を幾分外した断面側面図で（ｂ）は筒状のキャップに治具を嵌めた断面側面図である。
【図２】第２実施例で、筒状のキャップに治具を嵌めた断面側面図である。
【符号の説明】
【００１６】
１  筒状のキャップ
１ｂ  スリ割
１ｃ  係止部
２  治具
２ａ  基部
２ｂ  周溝
２ｃ  傾斜部
２ｄ、２ｆ  治具本体
ａ、ｂ  凹凸
【図１】
2009106242.tif 000003
【図２】
2009106242.tif 000004